(57)【特許請求の範囲】
【請求項１】
【化１】
0004945021.tif 000020
上記一般式（１）で表わされるモノアゾ化合物であって、式中、Ｍは水素、アルカリ金属、またはその他無色の塩形成金属であり、Ｒは水素、炭素原子数１から４個のアルキル基、またはスルホ、メトキシ、エトキシ、ヒドロキシル、スルファト、ホスファト（phosphato）、アセチルオキシもしくはプロピオニルオキシに置換することのできる炭素原子数１から４個のアルキル基であり、Ｒ１は水素、カルボキシル、置換可能な炭素原子数１から４個のアルキル基、または置換可能な炭素原子数１から４個のアルコキシ基であり、ｍはゼロ（ｍがゼロの場合この基は水素）であり、ｎはゼロ、１または２（ｎがゼロの場合この基は水素）であり、Ｘは下記（３ｂ）、（３ｃ）、（３ｅ）または（３ｆ）で表される繊維反応基であり、
【化２】
0004945021.tif 000021
式中、Ｈａｌは常に塩素、臭素またはフッ素（互いに同一または異なる）であり、Ｒ２は水素であり、Ｒ３は水素、炭素原子数１から４個のアルキル基（ヒドロキシル、炭素原子数２から５個のアルカノイルオキシ、スルファト、ホスファト、カルボキシル、スルホもしくは炭素原子数１から４個のアルコキシで置換されていてもよい）、炭素原子数５から８個のシクロアルキル基（１個または２個のメチルで置換されていてもよい）、またはフェニル基（スルホ、カルボキシル、β−スルファトエチルスルホニル、ビニルスルホニル、塩素、炭素原子数１から４個のアルキル、および炭素原子数１から４個のアルコキシからなる群より選択される１もしくは２個の置換基で置換されていてもよい）であり、Ｘ−Ｎ（Ｒ）−基がベンゼン核上でアゾ基に対してメタ位またはパラ位にあることを特徴とするモノアゾ化合物。
【請求項２】
前記Ｒがエチル、メチルまたは水素であることを特徴とする請求項１記載のモノアゾ化合物。
【請求項３】
前記Ｒ１が水素であることを特徴とする請求項１記載のモノアゾ化合物。
【請求項４】
前記Ｘが（３ｆ）の基、ｎが１または２、ｍがゼロであることを特徴とする請求項１乃至３のいずれか一項記載のモノアゾ化合物。
【請求項５】
前記Ｘが（３ｆ）の基であって、式中Ｒ２は水素、Ｒ３はフェニル、またはスルホ、カルボキシル、塩素、メチル、エチル、メトキシおよびエトキシからなる群より選択される１または２個の置換基により置換されたフェニルであることを特徴とする請求項１乃至４のいずれか一項記載のモノアゾ化合物。
【請求項６】
前記Ｒ２が水素、Ｒ３がモノまたはジスルホフェニルであることを特徴とする請求項５記載のモノアゾ化合物。
【請求項７】
下記一般式（３）のアミンのジアゾニウム塩
【化３】
0004945021.tif 000022
（式中、Ｘ、Ｒ、Ｒ１、Ｍおよびｎは請求項１に定義された通りである）を下記一般式（４）のアミノナフトール化合物
【化４】
0004945021.tif 000023
（式中、Ｍおよびｍは請求項１に定義された通りである）と、０から２５℃の温度、ｐＨ５未満でカップリングする工程と、または下記一般式（５）の化合物
【化５】
0004945021.tif 000024
（式中、Ｒ、Ｒ１、Ｍ、ｍおよびｎは請求項１に定義された通りである）を一般式Ｘ−Ｈａｌの化合物（式中、Ｘは（３ｂ）から（３ｃ）の基でありかつＨａｌは請求項１に定義された通りであるか、またはＸは（３ｅ）の基でありかつＨａｌは塩素であるか、またはＸは（３ｆ）の基でありかつＨａｌはフッ素である）と反応させる工程と、Ｘが（３ｆ）の基である一般式（１）のモノアゾ化合物の合成において、一般式（５）の化合物を２，４，６−トリフルオロ−１，３，５−トリアジン（フッ化シアヌリル）と反応させ、生成したジフルオロトリアジニルアミノアゾ化合物を一般式ＨＮＲ２Ｒ３（式中、Ｒ２およびＲ３は請求項１に定義された通りである）のアミンと反応させる工程とを具備することを特徴とする請求項１記載の式（１）のモノアゾ化合物の調製方法。
【請求項８】
ヒドロキシル−および／またはカルボキサミド−含有材料、特に繊維材料を染色することを特徴とする請求項１記載のモノアゾ化合物の使用方法。
【請求項９】
請求項１記載のモノアゾ化合物をヒドロキシル−および／またはカルボキサミド−含有材料、特に繊維材料に適用する工程と、前記モノアゾ化合物を熱またはアルカリ性溶剤もしくは両手段により定着する工程とを具備することを特徴とする染色方法。
【発明の詳細な説明】
【０００１】
【発明の属する技術分野】
本発明は、繊維反応アゾ染料に関する。
【０００２】
【従来の技術】
例えば、セルロース繊維材料に強力な赤色染色を行い、そのジアゾ成分、一般にはカップリング成分が、アミノ基を介してそのジアゾまたはカップリング成分に連結されたハロピリミジンまたはハロトリアジン系の繊維反応基を有している、モノアゾ化合物については文献に詳細に記載されている。カップリング成分は一般にスルホ置換アミノ−１−ナフトール類であり、ジアゾ成分が中和媒体の２の位置でカップリングされている。これとは対照的に、かかる繊維反応基および酸のカップリングされた２−アミノナフトールカップリング成分を含有し、アゾ基がアミノ基に近接配置された、すなわち１の位置の赤色染色アゾ化合物について記載された文献はほとんどない。唯一、米国特許第３，０４３，６４９号にはこの種のモノアゾ化合物が実施例１に記載されているが、これは繊維特性を満足できるものではない。すなわち、定着の程度が低いために染色があまい。
【０００３】
【発明が解決しようとする課題】
そこで、本発明は、非常に良好な繊維反応染料特性を有する新規なモノアゾ化合物と、高い色強度、さらには良好な堅牢度特性、例えば、高い汗耐光堅牢度を有する染料を提供することを目的とする。
【０００４】
【課題を解決するための手段】
本発明は、
【０００５】
【化６】
0004945021.tif 000002
上記一般式（１）で表わされるモノアゾ化合物であって、式中、Ｍは水素、アルカリ金属、またはその他無色の塩形成金属であり、Ｒは水素、炭素原子数１から４個のアルキル基、またはスルホ、メトキシ、エトキシ、ヒドロキシル、スルファト、ホスファト（phosphato）、アセチルオキシもしくはプロピオニルオキシに置換することのできる炭素原子数１から４個のアルキル基であり、Ｒ１は水素、カルボキシル、置換可能な炭素原子数１から４個のアルキル基、または置換可能な炭素原子数１から４個のアルコキシ基であり、ｍはゼロ（ｍがゼロの場合この基は水素）であり、ｎはゼロ、１または２（ｎがゼロの場合この基は水素）であり、Ｘは下記（３ｂ）、（３ｃ）、（３ｅ）または（３ｆ）で表される繊維反応基であり、
【０００６】
【化７】
0004945021.tif 000003
【０００７】
式中、Ｈａｌは常に塩素、臭素またはフッ素（互いに同一または異なる）であり、Ｒ２は水素であり、Ｒ３は水素、炭素原子数１から４個のアルキル基（ヒドロキシル、炭素原子数２から５個のアルカノイルオキシ、スルファト、ホスファト、カルボキシル、スルホもしくは炭素原子数１から４個のアルコキシで置換されていてもよい）、炭素原子数５から８個のシクロアルキル基（１個または２個のメチルで置換されていてもよい）、またはフェニル基（スルホ、カルボキシル、β−スルファトエチルスルホニル、ビニルスルホニル、塩素、炭素原子数１から４個のアルキル、および炭素原子数１から４個のアルコキシからなる群より選択される１もしくは２個の置換基で置換されていてもよい）であり、Ｘ−Ｎ（Ｒ）−基がベンゼン核上でアゾ基に対してメタ位またはパラ位にあることを特徴とするモノアゾ化合物を提供する。
【０００８】
上記の一般式および下記の一般式において、同一または異なる記号で表わされている式中の個々の要素は、互いに同一または異なるという定義で表記されている。
【０００９】
「スルホ」、「カルボキシル」、「ホスファト」および「スルファト」という用語には、各基が酸の形態ばかりでなく塩の形態のものも包含される。従って、スルホ基は一般式−ＳＯ３Ｍで示される基であり、カルボキシル基は−ＣＯＯＭで示される基であり、ホスファト基は一般式−ＯＰＯ３Ｍ２で示される基であり、スルファト基は一般式−ＯＳＯ３Ｍで表わされる基である。式中、各Ｍは上記に定義した通りである。
【００１０】
一般式（１）のモノアゾ化合物において好ましいのは、ｎが１または２、ｍがゼロ、Ｘが（３ｆ）の基である。
【００１１】
このモノアゾ化合物においてさらに好ましいのは、Ｒ２が水素でＲ３がβ−スルファトエチルスルホニルフェニルまたはビニルスルホニルフェニルであって、ｎが１または２、ｍが１、Ｘが（３ｂ）または（３ｃ）の基または（３ｆ）の基である。
【００１２】
この一般式（１）のモノアゾ化合物において最も好ましいのは、ｍがゼロ、ｎが２、Ｘが（３ｂ）または（３ｆ）の基である。
【００１３】
（３ｂ）から（３ｃ）の繊維反応基は、例えば、２，４−ジフルオロピリミジン−６−イル、および４，６−ジフルオロピリミジン−４−イルである。
【００１４】
（３ｆ）の繊維反応基において、例えば、Ｒ２は水素であり、Ｒ３は水素、ヒドロキシル−、スルファト−、ホスファト−、カルボキシル−、スルホ−、メトキシ−またはエトキシ−置換エチル；任意でメチル−一置換または二置換シクロヘキシル；スルホ、カルボキシル、塩素、メチル、エチル、メトキシおよびエトキシからなる群より選択される１または２個の置換基に置換されたフェニルまたは置換フェニルである。特に好ましくは、Ｒ２は水素、Ｒ３はさらに好ましくは２−、３−または４−スルホフェニルのようなスルホ−および／またはカルボキシル−置換フェニルである。
【００１５】
一般式−ＮＲ２Ｒ３の基は、例えば、アミノ、メチルアミノ、エチルアミノ、β−ヒドロキシルエチルアミノ、ｎ−プロピルアミノ、β−スルホエチルアミノ、β−スルファトエチルアミノ、Ｎ−（β−スルホエチル）アミノ、フェニルアミノ、Ｎ−メチルフェニルアミノ、２−、３−または４−メチルフェニルアミノ、２−、３−または４−スルホフェニルアミノ、２−スルホ−４−メチルフェニルアミノ、Ｎ−メチル−４−スルホフェニルアミノ、２，５−ジスルホフェニルアミノ、２，４−ジスルホフェニルアミノ、３，５−ジスルホフェニルアミノ、２−または４−カルボキシフェニルアミノ、２−カルボキシ−５−スルホフェニルアミノ、１−スルホナフト２−イルアミノ、６−スルホナフト２−イルアミノまたは１，５−ジスルホナフト２−イルアミノ、特にβ−スルホエチルアミノ、β−スルファトエチルアミノ、β−ヒドロキシエチルアミノ、ジ（β−ヒドロキシエチル）アミノ、ジ（β−スルホエチル）アミノ、ジ（β−スルファトエチル）アミノ、２，５−ジスルホフェニルアミノ、２，４−ジスルホフェニルアミノ、３，５−ジスルホフェニルアミノおよび特に２−スルホフェニルアミノ、３−スルホフェニルアミノおよび４−スルホフェニルアミノである。
【００１６】
式（１）中にある下記一般式（２）の基は、例えば、
【００１７】
【化８】
0004945021.tif 000004
【００１８】
１，４−フェニレン、１，３−フェニレン、２−スルホ−１，４−フェニレン、４−スルホ−１，３−フェニレン、４，６−ジスルホ−１，３−フェニレン、２，５−ジスルホ−１，４−フェニレン、２−メチル−１，４−フェニレン、４−メチル−１，３−フェニレン、６−スルホ−４−メチル−１，３−フェニレン、６−スルホ−４−メトキシ−１，３−フェニレンおよび５−スルホ−２−メチル−１，３−フェニレンである。
【００１９】
本発明による一般式（１）のモノアゾ化合物は、本発明による様々な方法により調製することができ、例えば、下記の一般式（３）アミンのジアゾニウム塩
【００２０】
【化９】
0004945021.tif 000005
（式中、Ｘ、Ｒ、Ｒ１、Ｍおよびｎは請求項１に定義された通りである）
を下記一般式（４）のアミノナフトール化合物
【００２１】
【化１０】
0004945021.tif 000006
【００２２】
（式中、Ｍおよびｍは請求項１に定義された通りである）
と、０から２５℃の温度、ｐＨ５未満でカップリングする工程と、または
下記一般式（５）の化合物
【００２３】
【化１１】
0004945021.tif 000007
【００２４】
（式中、Ｒ、Ｒ１、Ｍ、ｍおよびｎは請求項１に定義された通りである）を一般式Ｘ−Ｈａｌの化合物（式中、Ｘは（３ｂ）から（３ｃ）の基でありかつＨａｌは請求項１に定義された通りであるか、またはＸは（３ｅ）の基でありかつＨａｌは塩素であるか、またはＸは（３ｆ）の基でありかつＨａｌはフッ素である）と反応させる工程と、Ｘが（３ｆ）の基である一般式（１）のモノアゾ化合物の合成において、一般式（５）の化合物を２，４，６−トリフルオロ−１，３，５−トリアジン（フッ化シアヌリル）と反応させ、生成したジフルオロトリアジニルアミノアゾ化合物を一般式ＨＮＲ２Ｒ３（式中、Ｒ２およびＲ３は請求項１に定義された通りである）のアミンと反応させる工程により調製することができる。
【００２５】
一般式（４）の出発化合物は公知であり、文献に詳細に記載されている。同様に、一般式（３）および（５）の出発物質も公知であり、文献に記載された方法により調製することができる。例えば、一般式（５）の出発アゾ化合物を、下記の一般式（６）のアミノ化合物
【００２６】
【化１２】
0004945021.tif 000008
【００２７】
（式中、Ｒ、Ｒ１、Ｍおよびｎはそれぞれ上記に定義した通りであり、Ａｃは水素または好ましくはアセチル基のようなジアゾ化のための保護基としてのアシル基）
によりジアゾ化し、酸性状態にある一般式（４）の化合物に公知の手順と同様にしてカップリングし、続いて公知の方法でアシル基の加水解離を行う。
【００２８】
一般式（３）の化合物の合成は、よく知られた方法で行うことができる。すなわち、アミノ化合物をハロピリミジンおよびハロトリアジン化合物と反応させる、具体的には、Ａｃが水素の場合の上述の一般式（６）の化合物を一般式Ｘ−Ｈａｌ（ＸおよびＨａｌはそれぞれ上記の通りである）の化合物と反応させて合成する。
【００２９】
ハロピリミジンおよびフルオロトリアジン化合物とアミノ化合物、例えば一般式ＨＮＲ２Ｒ３は、任意で、不活性有機溶媒、例えば、ジメチルスルホキシド、ジメチルホルムアミドおよびＮ−メチルピロリドンの存在下で水溶液または水性懸濁液中で反応する。通常、０から３０℃、好ましくは０から２５℃の温度およびｐＨ４から９、好ましくはｐＨ５から８．５で反応が起こる。
【００３０】
一般式（４）の出発化合物は、例えば、２−アミノ−８−ナフトール−６−スルホン酸、２−アミノ−８−ナフトール−３，６−ジスルホン酸および２−アミノ−８−ナフトール−４，６−ジスルホン酸である。
【００３１】
一般式（６）の出発化合物は、Ａｃが水素の場合は、例えば、１，４−ジアミノベンゼン、１，３−ジアミノベンゼン、２−スルホ−１，４−ジアミノベンゼン、４−スルホ−１，３−ジアミノベンゼン、４，６−ジスルホ−１，３−ジアミノベンゼン、２，５−ジスルホ−１，４−ジアミノベンゼン、２−メチル−１，４−ジアミノベンゼン、４−メチル−１，３−ジアミノベンゼン、６−スルホ−４−メトキシ−１，３−ジアミノベンゼン、６−スルホ−４−メチル−１，３−ジアミノベンゼンおよび５−スルホ−２−メチル−１，３−ジアミノベンゼン、好ましくは２−スルホ−１，４−ジアミノベンゼン、４，６−ジスルホ−１，３−ジアミノベンゼン、２，５−ジスルホ−１，４−ジアミノベンゼン、特に４−スルホ−１，３−ジアミノベンゼンである。
【００３３】
本発明による一般式（１）のモノアゾ化合物の合成水溶液からの分離および単離は、水溶性化合物について一般に知られた方法により行うことができる。例えば、塩化ナトリウムや塩化カリウムのような電解液を用いた反応媒体からの沈殿、例えば、スプレー乾燥による反応溶液そのものの蒸発がある。後述の単離方法を選択する場合、蒸発の前に、溶液中の硫酸塩をすべて硫酸カルシウムとして沈殿し濾過により除去しておくことが勧められる。
【００３４】
本発明による一般式（１）のモノアゾ化合物（以降、化合物（１）と呼ぶ）は、繊維反応特性を持ち、染料として非常に有用な特性を有している。従って、ヒドロキシル含有および／またはカルボキサミド含有材料を染色（捺染を含む）するのに用いることができる。化合物（１）の合成により得られた溶液は、任意で緩衝物質を添加した後および同じく任意で濃縮した後、最後まで調製液体として直接染色に用いることができる。
【００３５】
本発明はまた、ヒドロキシル−および／またはカルボキサミド−含有材料を染色（捺染を含む）する化合物（１）の使用方法も提供する。より正確には、基材への適用のために加工する。材料は、好ましくは、繊維材料、特にヤーン、巻付けパッケージおよびファブリックといった織物繊維の形態で用いられる。既存の手順に類似の手順を用いることができる。
【００３６】
ヒドロキシル含有材料は、例えば、セルロースファイバー材料またはその再生製品およびポリビニルアルコールといった天然または合成のものである。セルロースファイバー材料は、好ましくは綿であるが、こればかりでなく、リネン、麻、ジュートおよびラミー繊維といったその他植物繊維もある。再生セルロースファイバーは例えば、ビスコースステープルおよびフィラメントビスコースである。
【００３７】
カルボキサミド含有材料は、例えば、合成および天然ポリアミド類およびポリウレタン類、特に、例えば、ウールやその他動物の毛、絹、皮、ナイロン−６，６、ナイロン−６、ナイロン−１１およびナイロン−４のような繊維の形態である。
【００３８】
繊維材料はまた混合して処理および染色することもでき、ポリエステル繊維のように化学的性質の異なる繊維材料から構成されていてもよい。本明細書における実施例では、セルロース繊維とポリエステル繊維およびセルロース繊維とポリアミド繊維から構成された混合ファブリックを用いている。
【００３９】
本発明により提供される化合物（１）は、水溶性、繊維反応染料に公知の適用技術、例えば、溶解した化合物（１）を基材に適用して、熱の作用またはアルカリ溶剤の作用もしくはその両方の手段により定着させることによって、上述の基材、特に上述の繊維材料に適用して定着させることができる。かかる染色および定着方法は、文献に詳細に記載されている（例えば、欧州特許出願公開Ｎｏ．０  １８１  ５８５号）。このように、化合物（１）は、吸尽染色ばかりでなく、パッド染色プロセスによる染色にも適している。すなわち、材料を、任意で電解質塩を含有する化合物（１）の水溶液に含浸し、化合物（１）を上述の方法で材料に定着させる。コールドパッドバッチプロセスにより適用するときは、化合物（１）は特に有用である。すなわち、染料をアルカリ溶剤と共にパッドマングル上の繊維材料に適用し、数時間室温で放置して繊維材料に定着させる。定着後、得られた染色および捺染を冷水および温水で完全に濯ぐ。このとき、任意で分散作用を有し、未定着部分の拡散を促進する溶剤を存在させてもよい。
【００４０】
化合物（１）の注目すべき点は、その高反応性、良好な定着能力および良好な積層能力である。そのため、低い染色温度で吸尽染色プロセスに用いることができ、またパッド蒸気プロセスにおいてはわずかの時間、蒸気をあてるだけで済む。定着度が高く、未定着部分は容易に洗い流せ、吸尽度と定着度の差が非常に小さいため、ソーピングの損失もまた非常に少ない。化合物（１）はまた、特に綿のようなセルロースファイバー材料への織物の捺染プロセスばかりでなく、例えば、ウールや絹またはウールや絹から構成される混合ファブリックのようなカルボキサミド含有繊維材料を捺染するのに特に適している。さらに、抜染や防染プロセスにおいても非常に有用である。
【００４１】
化合物（１）によりなされた染色および捺染は、ファイバー（特にセルロースファイバー材料）に対して酸性ばかりでなくアルカリ性で高い色強度および高い結合安定性を有しており、また、非常に良好な水および耐光堅牢度をはじめとする良好な耐光堅牢度、さらに良好な洗浄、水、海水、異色染および汗に対する堅牢度といった一般に良好な水堅牢度、良好な汗耐光堅牢度、プリーツ加工およびホットプレスに対する良好な堅牢度、そして摩擦堅牢度を有している。
【００４２】
以下の実施例により本発明を説明する。特に指定のない限り、部およびパーセンテージは重量当りである。重量部と体積部はキログラムとリットルのような関係にある。
【００４３】
実施例において式で示された化合物は、遊離酸の形態で表記されている。通常、遊離酸はリチウム、ナトリウムまたはカリウム塩のようなアルカリ金属塩の形態で調製・分離され、塩の形態で染色に用いられる。以下の実施例、特に表中に記載された実施例において遊離酸の形態で示された出発化合物および成分は、同様に、それ自体またはその塩、好ましくはアルカリ金属塩の形態として合成に用いることができる。
【００４４】
本発明の化合物について可視範囲で報告されている吸収極大（λmax）は、そのアルカリ金属塩の水溶液中で求められた。表の実施例において、λmax値は色相の隣の括弧内に記載されており、波長の単位はｎｍである。
【００４５】
【発明の実施の形態】
（実施例１）
氷水４０００体積部に溶解した１，３−ジアミノベンゼン−４−スルホン酸１９部の中性水溶液を、重炭酸ナトリウム９部と混合し、２，４，６−トリフルオロ−５−クロロピリミジン１７部を加えた後、反応バッチを０〜１０℃で約５時間攪拌した。亜硝酸ナトリウムの４０％強水溶液１９部を加え、反応バッチを濃塩酸水溶液３０部と氷１００部の混合物に徐々に完全に攪拌しながら連続して加えることにより、形成された化合物をジアゾ化した。すると、通常、過剰の亜硝酸がアミド硫酸により破壊され、ジアゾニウム塩懸濁液が２−アミノ−８−ナフトール−６−スルホン酸２３部と混合された。カップリングはｐＨ３〜５（炭酸ナトリウム水溶液によってこの値に維持してもよい）および０〜１０℃の温度で行った。攪拌をしばらく続け、下式の新規なアゾ化合物（遊離酸の形態で書かれている）
【００４６】
【化１３】
0004945021.tif 000009
【００４７】
を、例えば、アルカリ金属塩として塩化ナトリウムによって塩析して分離した。これは非常に良好な繊維反応染料特性を有しており、繊維反応染料業界においてよく行われる塗布プロセスにより適用して、例えば、綿のような詳細な説明に述べた材料に、良好な堅牢特性、中でも良好な汗耐光堅牢度が特に顕著である強力な赤色染色および捺染を行う。
【００５２】
（実施例３）
アニリン−３−スルホン酸１７．５部およびトリフルオロトリアジン１５．０部をドイツ特許出願公開第２，７４６，１０９号の指示に従って反応させた。得られた溶液を１，３−ジアミノベンゼン−４−スルホン酸１８部と混合した後、ｐＨを６〜７に保ちながら、バッチを約４時間、０〜１０℃で攪拌した。
【００５３】
本発明の実施例１と同様に、得られた化合物をジアゾ化し、２−アミノ−８−ナフトール−６−スルホン酸２３部でカップリングを行った。
【００５４】
下式の新規なアゾ化合物（遊離酸の形態で書かれている）
【００５５】
【化１５】
0004945021.tif 000010
【００５６】
を、例えば、塩化ナトリウムによって塩析することにより、従来の方法で合成バッチから分離した。これは、特にアルカリ金属塩の形態のとき、詳細な説明に述べた繊維材料、特に綿を染色するのに有用であり、繊維反応染料業界においてよく行われる塗布プロセスにより適用すると、良好な堅牢特性、中でも良好な汗耐光堅牢度が特に顕著である強力な赤色染色および捺染を行う。
【００５７】
（実施例４）
ａ）氷水３００部に溶解した１−アセチルアミノ−３−アミノ−４−スルホン酸２３部の中性水溶液を、亜硝酸ナトリウムの４０％強水溶液１９部と混合し、その水溶液を濃塩酸水溶液３０部と氷１００部の混合物に徐々に入れて連続して攪拌した。過剰の亜硝酸を除去した後、２−アミノ−８−ナフトール−６−スルホン酸２３部を加え、カップリング反応を、ｐＨ３〜５および０〜１０℃の温度で行った。
【００５８】
生成した下式のアミノアゾ化合物（遊離酸の形態で書かれている）
【００５９】
【化１６】
0004945021.tif 000011
を、塩析により分離した。
【００６０】
ｂ）このアミノアゾ化合物（ナトリウム塩の形態の）４２部を氷水８００部に溶解する。炭酸ナトリウム水溶液によってｐＨを６〜７に保ちながら、トリフルオロトリアジン１６部を徐々に完全に攪拌しながら連続して加えた。約３０分間の反応時間の後、アニリン−３−スルホン酸１７部を入れて攪拌し、形成されたジフルオロトリアジニルアミノアゾ化合物との反応をｐＨ６および０〜１０℃の温度で約３時間攪拌することにより完了した。
【００６１】
このようにして調製された新規なアゾ化合物を従来の方法で分離した。これは実施例３のアゾ化合物と同一であり、同様に良好な染色特性を呈する。
【００６２】
（実施例５）
本発明によるアゾ化合物を、実施例４ａ）で調製したアミノアゾ化合物４２部を実施例４ｂ）に記載されたトリフルオロトリアジン１６部と反応させることにより調製し、生成した下式のジフルオロトリアジニルアミノアゾ化合物とのバッチを、
【００６３】
【化１７】
0004945021.tif 000012
【００６４】
β−スルホエチルアミン１２．５部と混合した。反応はｐＨ８〜９および０〜１０℃の温度で行った。
【００６５】
生成した下式のアゾ化合物（遊離酸の形態で書かれている）
【００６６】
【化１８】
0004945021.tif 000013
【００６７】
を、アルカリ金属塩として従来の方法で分離した。これは、良好な染料特性を有しており、例えば綿に、良好な堅牢特性を有した強力な赤色染色および捺染を行う。
【００６８】
（実施例６）
氷水３００部に溶解したアニリン−２−スルホン酸１７．３部の中性水溶液を、水酸化ナトリウム水溶液によってｐＨを４〜５に保ちながら、トリフルオロトリアジン１５部と徐々に完全に攪拌しながら連続して混合した。その後、バッチをさらに３０分程度攪拌し、１，３−ジアミノベンゼン−４−スルホン酸１７部のｐＨ６〜７の水溶液２５０部を攪拌しながら加え、バッチをｐＨ６〜７および０〜５℃の温度でさらに約５時間攪拌した。
【００６９】
得られた中間体を従来の方法で間接的にジアゾ化した。生成したジアゾニウム塩水溶液のｐＨを４〜５に調整し、水１００部に溶解した微粉砕２−アミノ−８−ナフトール−６−スルホン酸２１．５部の懸濁液を入れて攪拌した。カップリング反応を１０〜１５℃の温度および重炭酸ナトリウムでｐＨを４〜５に維持して行った。
【００７０】
例えば、リン酸水素二ナトリウムとリン酸二水素ナトリウムの混合物で緩衝してバッチのｐＨを７．５にし、遊離酸の形態で書かれている生成した下式の新規のアゾ化合物
【００７１】
【化１９】
0004945021.tif 000014
【００７２】
を、例えば、塩化ナトリウムによる塩析またはスプレー乾燥のような従来の方法で分離した。
【００７３】
本発明のアゾ化合物は、非常に良好な繊維反応染料特性を有しており、繊維反応染料業界においてよく行われる染色および捺染プロセスにより適用して、例えば、綿のような詳細な説明に述べた材料に、良好な堅牢特性、中でも良好な汗耐光堅牢度が特に顕著である強力な赤色染色および捺染を行う。
【００７４】
実施例７から５５
以下の表の実施例は、一般式（Ａ）（遊離酸の形態で書かれている）で表わされる新規なアゾ化合物をさらに説明するものである。
【００７５】
【化２０】
0004945021.tif 000015
【００７６】
これらは本発明による方法により、例えば、上記実施例のいずれかと同様にして、例えば、一般式（Ａ）（一般式Ａ−Ｈａｌ（式中、Ｈａｌはフッ素または塩素）で表わされるハロゲン置換ピリミジンまたは任意でアミノ置換ハロトリアジン、ジアゾ化可能な成分としての一般式Ｈ２Ｎ−Ｂ−ＮＨ２で表わされるスルホ置換ジアミノベンゼンおよびスルホ置換２−アミノナフトール）より明白な出発化合物から調製可能である。これらは、非常に良好な繊維反応染料特性を有しており、詳細な説明で述べた繊維材料、特にセルロース繊維材料を、表中の各実施例に報告された色相（この場合は綿）で、高色強度および良好な堅牢度を与えて染色する。
【００７７】
【化２１】
0004945021.tif 000016
【００７８】
【表１】
0004945021.tif 000017
【００７９】
【表２】
0004945021.tif 000018
【００８０】
【表３】
0004945021.tif 000019